(57)【要約】【課題】排気ファンに吸い込まれて排出される排気温度を低下させることにより、周囲の人々への不快感を緩和するとともに、排気ファンのファンモータへの影響をも緩和した投写型映像表示装置を提供すること。【解決手段】本発明に係る投写型映像表示装置は、外装ケース１と、光源ランプ２１からの照明光を映像信号に基づいて光変調させて映像光を生成して投写する光学系２と、光学系２を構成する光学部品の周辺に空気を流通させて光学部品を冷却する冷却システムとを備えている。冷却システムは、光学部品、例えば光源ランプ２１の冷却により加熱された空気を排気ファン１２により機外に排出するようにしたものであって、光源ランプ２１の冷却後の加熱された空気に対し加熱されていない未加熱の機外空気を混合することにより、排気温度を低下させている。これにより周囲の人々の不快感を緩和させることができる。【選択図】図１
2011112966.tif 000002
【特許請求の範囲】
【請求項１】
外板を形成する外装ケースと、外装ケース内に収納される光源ランプからの照明光を映像信号に基づいて光変調させて映像光を生成し、生成された映像光を投写する光学系と、光学系を構成する光学部品の周辺に空気を流通させて光学部品を冷却するとともに、光学部品の冷却により加熱された空気を排気ファンにより機外に排出するようにした冷却システムとを備え、
この冷却システムは、前記光学部品の冷却により加熱された空気に対し、加熱されていない未加熱の空気を混合して機外に排出するようにした
ことを特徴とする投写型映像表示装置。
【請求項２】
前記冷却システムにより冷却される光学部品として光源ランプが含まれていることを特徴とする請求項１記載の投写型映像表示装置。
【請求項３】
前記冷却システムは、排気ファンとして遠心式送風機を使用することを特徴とする請求項１または２記載の投写型映像表示装置。
【請求項４】
前記未加熱の空気は、前記外装ケース内の機内空気であることを特徴とする請求項１〜３の何れか１項記載の投写型映像表示装置。
【請求項５】
前記未加熱の空気は、前記外装ケース外の機外空気であることを特徴とする請求項１〜３の何れか１項に記載の投写型映像表示装置。
【請求項６】
前記冷却システムは、排気ファンとして両吸込型シロッコファンを使用するとともに、このシロッコファンの一方の吸込口には光学部品を冷却した後の加熱された空気が吸い込まれ、他方の吸込口には光学部品の冷却に供されていない未加熱の空気が吸い込まれるように構成されていることを特徴とする請求項４又は５記載の投写型映像表示装置。
【請求項７】
前記冷却システムは、排気ファンとして両吸込型シロッコファンを使用するとともに、このシロッコファンの一方の吸込口には光学部品を冷却した後の加熱された空気が吸い込まれ、他方の吸込口には光学部品の冷却に供されていない未加熱の機外空気が吸い込まれるように構成され、さらに、外装ケースには未加熱の空気として機外空気を取り込むための吸気口と、排気ファンからの排気を放出するための排気口とが設けられて成り、
前記吸気口と排気口とは、外装ケースにおける異なる面に形成されている
ことを特徴とする請求項５記載の投写型映像表示装置。
【請求項８】
前記冷却システムは、冷却する光学部品と遠心式送風機の吸込口との間、未加熱の空気を吸気する吸気口と遠心式送風機の吸込口との間、及び排気口と遠心式送風機の吹出口との間にそれぞれダクトが接続されていることを特徴とする請求項６又は７記載の投写型映像表示装置。
【請求項９】
前記冷却システムは、光学部品冷却後の加熱された空気を排気ファンに送る吸込側ダクトが用いられるとともに、この吸込側ダクトに対し、光学部品の冷却に供されていない未加熱の空気が吸入されるように構成されていることを特徴とする請求項３〜５の何れか１項に記載の投写型映像表示装置。
【発明の詳細な説明】
【技術分野】
【０００１】
本発明は、投写型映像表示装置に係り、特に、光源ランプからの照明光を光変調して映像光を生成する光学部品の冷却機構に関する。
【背景技術】
【０００２】
従来、光源から出射された光束をダイクロイックミラーによって、三原色の赤、緑、青の色光に分離するとともに、三枚の液晶パネルにより各色光毎の映像信号に応じて光変調し、各色光の変調光を合成し、投写レンズを介してカラー映像を拡大投写する、所謂３板式液晶投写型映像表示装置が知られている。このような投写型映像表示装置の光学系においては、光源ランプ、液晶パネル、偏光板、光学補償板のように温度上昇が問題となる光学部品が含まれている。そこで、従来の投写型映像表示装置においては、このような光学部品を冷却するための冷却システムが形成されている。
【０００３】
また、このような冷却システムを備えた投写型映像表示装置としては、例えば、特許文献１に記載されたものが知られている。
図５は、特許文献１に記載された、このような冷却システムを備えた投写型映像表示装置の一例である。この投写型映像表示装置は、３板式液晶投写型映像表示装置であって通常の光学系を備えている。すなわち、その光学系は、光源ランプ１０１ａ、ビームスプリッタ（ＰＢＳ）１０１ｂ等からなる照明光学系１０１、ダイクロイックミラー（図示せず）、リレーレンズ（図示せず）などからなる分離光学系１０２、液晶パネル（略称ＬＣＤ）、偏光板などから構成される光変調手段１０３ａを備えている。また、その光学系は、クロスダイクロイックプリズム１０３ｂからなる合成光学系１０３、投写レンズ（図示せず）などから構成されている。また、光学部品の冷却システムは、軸流ファン（特許文献ではアキシャルファンと称している）を使用するものであって、光学系を構成する光変調手段１０３ａに対しにエアフィルタ１１１を通して外気を取り込む吸気ファン１１２と、光源ランプ１０１ａ等の光学部品を冷却した後の装置内の温風を排気する排気ファン１１３とが必要とされていた。
【０００４】
また、図６に示したものは、特許文献１に記載された、冷却システムを備えた投写型映像表示装置の他例であって、上記と同様の光学系を備えた３板式投写型映像表示装置である。なお、この図において図５と同一の要素には同一の符号を付しその説明を省略する。
【０００５】
この投写型映像表示装置における光学部品の冷却システムは、シロッコファン２１１を使用するものであって、外気取り入れ口を成す吸気口に設けられたエアフィルタ２１２を通して外装ケース２１３内に吸入された空気が冷却風として冷却すべき各光学部品に送られている。より具体的には、外装ケース２１３内の空気が、ＰＢＳ吸気口２１４、ランプ用吸気口２１５、液晶パネル用吸気口２１６から吸い込まれ、光学系の光学部品を収納する光学系筐体２１７に付設された冷却ダクト２１８を通りシロッコファン２１１に吸い込まれ外装ケース２１３に設けられた排気口２１９から外装ケース２１３の外に排出されている。なお、この図において、符合１０４は投写レンズを示す。
【先行技術文献】
【特許文献】
【０００６】
【特許文献１】特開平１１−３５４９６３号公報、図１、図５．
【発明の概要】
【発明が解決しようとする課題】
【０００７】
図５に記載の従来例によれば、軸流ファンは静圧が低いためにダクト接続をしない構成とされている。このため次のような問題があった。すなわち、光源ランプ１０１ａの寿命は取り付け姿勢により変化するため、光源ランプ１０１ａの寿命を考慮すると、光源ランプ１０１ａと投写レンズ１０４（図６参照）の配置がほぼ決まり、排気方向が後方（投写レンズ１０４の反対側）もしくは側方となっていた。このため、映像光を投写する上で障害物となる人間のいることが少ない前方（投写レンズ１０４側）に排気することができないという問題があった。また、冷却すべき光学部品に対しても冷却風の流れが軸流ファンの回転方向に依存し、均一な冷却風を流すことが困難であった。また、外気は液晶パネル等の光変調手段１０３ａの底面に設けられた吸気ファン１１２により取り込まれるが、エアフィルタ１１１の位置が底面となり易く、エアフィルタ交換作業性が悪くごみ等を吸引し易いという問題があった。
【０００８】
また、図６に記載の従来例によれば、シロッコファン２１１を使用し、ダクト接続を可能としているため、ファンの取付位置やエアフィルタの取付位置に上記のような制約がない。したがって、図５の従来例のような問題点は解消されている。しかしながら、図５に記載した従来例にも当てはまることであるが、これら従来例における排気は、光学部品により暖められた温風がそのまま排気ファンに吸込まれて機外に排出されているため、周囲の人々に対して不快感を与えるという問題があった。また、このような投写型映像表示装置の排気ファンに用いられる小型ファンでは、ファンモータが羽根車の中心部に設けられていることが多く、排気温度が高い場合にファンモータが高温の排気に晒されるためファンモータの寿命に与える影響が大きいという問題もあった。
【０００９】
本発明は、このような問題に鑑み、排気ファンに吸い込まれて排出される排気温度を低下させることにより、周囲の人々への不快感を緩和するとともに、排気ファンのファンモータへの影響をも緩和するようにした投写型映像表示装置を提供することを目的とする。
【課題を解決するための手段】
【００１０】
本発明に係る投写型映像表示装置は、外板を形成する外装ケースと、外装ケース内に収納される光源ランプからの照明光を映像信号に基づいて光変調させて映像光を生成し、生成された映像光を投写する光学系と、光学系を構成する光学部品の周辺に空気を流通させて光学部品を冷却するとともに、光学部品の冷却により加熱された空気を排気ファンにより機外に排出するようにした冷却システムとを備え、この冷却システムは、前記光学部品の冷却により加熱された空気に対し、加熱されていない未加熱の空気を混合して機外に排出するようにしたことを特徴とする。
【００１１】
この構成によれば、光学部品冷却後の加熱された空気に対し加熱されていない未加熱の空気が混合されて排出されるので、排気温度を低下させることができる。これにより温度の高い排気により周囲の人々に与えていた不快感を緩和することができる。また、このような投写型映像表示装置に用いられる小型ファンでは、ファンモータが羽根車の中心部に設けられていることが多く排気に晒されているが、排気温度が低下されることによりファンモータの寿命延長に貢献することができる。
【００１２】
また、前記冷却システムにより冷却される光学部品として光源ランプが含まれていることが好ましい。光学部品を冷却した空気のうち光源ランプを冷却した後の空気の温度が最も高くなるので、この空気を排出する系統の排気に未加熱の空気を混合させて排気温度を低下させることが最も望まれている。
【００１３】
また、前記冷却システムは、排気ファンとして遠心式送風機を使用することが好ましい。遠心式送風機は静圧を高く取ることができるので、排気ファンの吸気側、排気側を問わずダクトを接続することができ、レイアウトに自由度が増す。また、排気ファンの吹出方向を変えたり、排気ファンの位置を外装ケースの内部奥の方に配置したりなどして、騒音を抑制することができる。
【００１４】
また、前記未加熱の空気として前記外装ケース内の機内空気を用いるようにしてもよい。このように構成すると、外部から外装ケース内に空気を取り込む吸気口に対し排気ファンを接続する必要がないので、構成が簡易化される。
【００１５】
また、前記未加熱の空気として前記外装ケース外の機外空気を用いるようにしてもよい。このように構成すると、一旦外装ケース内に吸入された空気でなく機外の空気が直接光学部品の冷却により加熱された空気に対し混合されるので、少ない混合量で排気空気の温度を低下させることができる。これにより、排気ファンやダクトスペースの削減などを行うことができる。
【００１６】
また、前記冷却システムは、排気ファンとして両吸込型シロッコファンを使用するとともに、このシロッコファンの一方の吸込口には光学部品を冷却した後の加熱された空気が吸い込まれ、他方の吸込口には光学部品の冷却に供されていない未加熱の空気が吸い込まれるように構成されているようにしてもよい。このように構成すると、未加熱の空気を吸い込む吸込側ダクトと光学部品冷却後の加熱された空気を吸い込む吸込側ダクトとを個別に形成することができる。したがって、このようなダクト配置が好ましい適用例には便利である。
【００１７】
また、前記冷却システムは、排気ファンとして両吸込型シロッコファンを使用するとともに、このシロッコファンの一方の吸込口には光学部品を冷却した後の加熱された空気が吸い込まれ、他方の吸込口には光学部品の冷却に供されていない未加熱の機外空気が吸い込まれるように構成され、さらに、外装ケースには未加熱の空気として機外空気を取り込むための吸気口と、排気ファンからの排気を放出するための排気口とが設けられて成り、前記吸気口と排気口とは、外装ケースにおける異なる面に形成されていることが好ましい。このように構成すると、排気口からの排気がショートサーキットされて再度吸気口から吸い込まれるようなことが回避されるので、排気温度の低下を効率よく行うことができる。
【００１８】
また、上記冷却システムは、冷却する光学部品と遠心式送風機の吸込口との間、未加熱の空気を吸気する吸気口と遠心式送風機の吸込口との間、及び排気口と遠心式送風機の吹出口との間にそれぞれダクトが接続されているようにしてもよい。このように構成すると、光学系、排気ファン、吸気口、排気口などのレイアウトの自由度が増し、排気ファンの吹出方向を変えることやファン自身を外装ケースの内部奥深くに設置することができ、騒音抑制ができる。
【００１９】
また、前記冷却システムは、上記構成とは異なり、光学部品冷却後の加熱された空気を排気ファンに送る吸込側ダクトが用いられるとともに、この吸込側ダクトに対し光学部品の冷却に供されていない未加熱の空気が吸入されるように構成してもよい。このように構成すれば、シロッコファンは片吸込型であれ、両吸込型であれ排気の温度を低下させることができる。
【発明の効果】
【００２０】
本発明に係る投写型映像表示装置によれば、光学部品冷却後の加熱された空気に対し加熱されていない未加熱の空気が混合されて排出されるので、排気温度を低下させることができる。これにより周囲の人々に不快感を与えることがない。
【図面の簡単な説明】
【００２１】
【図１】本発明の実施の形態１に係る投写型映像表示装置における冷却システムの模式図である。
【図２】本発明の実施の形態２に係る投写型映像表示装置における冷却システムの模式図である。
【図３】本発明の実施の形態３に係る投写型映像表示装置における冷却システムの模式図である。
【図４】本発明の実施の形態４に係る投写型映像表示装置における冷却システムの模式図である。
【図５】従来例に係る投写型映像表示装置の冷却構造を示す図である。
【図６】他の従来例に係る投写型映像表示装置の冷却構造を示す図である。
【発明を実施するための形態】
【００２２】
以下、本発明の実施の形態１に係る投写型映像表示装置について図面を参照しながら説明する。
本発明は、投写型映像表示装置における光学部品の冷却システム、とりわけ、光源ランプの冷却システムにおける排気系統に特徴があるので、この排気系統周りを中心に説明する。
【００２３】
本投写型映像表示装置は、外板を形成する外装ケース１内に光学系２が収納されている。また、光学系２を構成する光学部品は、光学系筐体３内に収納されている。光学系２は、図１に示すように、光源ランプ２１、インテグレータレンズ２２、ビームスプリッタ（ＰＢＳ）２３、コンデンサーレンズ２４、全反射ミラー２５、リレーレンズ２６等からなる照明光学系２０を備えている。また、光学系２は、このような照明光学系２０以外に、従来のものと同様、ダイクロイックミラー、リレーレンズなどからなる分離光学系、液晶パネル（略称ＬＣＤ）、偏光板などから構成される光変調手段、クロスダイクロイックプリズムからなる合成光学系、並びに、投写レンズなどを備えている。図示されていないこれら光学部品も光学系筐体３内に収納されている。そして、光学系２を構成するこれら光学部品のうち温度上昇が問題となる光源ランプ２１、ビームスプリッタ（ＰＢＳ）２３、光変調手段などが光学系筐体３の内部に取り込まれた外装ケース１内の空気により冷却されている。図１は、これら光学系２を構成する光学部品のうち最も温度が高くなる光源ランプ２１を冷却する冷却システムを示している。なお、この実施の形態においては、ビームスプリッタ（ＰＢＳ）２３及び光変調手段の冷却は、別系統の冷却システムを構築しているものとし、その説明を省略する。
【００２４】
本実施の形態に係る光源ランプ２１の冷却システムは、機外空気を機内へ取り込むための外装ケース１に設けられた吸気口１１、機内空気を使って光源ランプ２１を冷却するランプ冷却機構を備えている。このランプ冷却機構は、具体的な図示は省略するが、従来公知のものであって光学系筐体３の一部を構成するランプハウス３１内の光源ランプ２１周辺及び光源ランプ２１のリフレクター内へ機内空気を吹き出す機構を備えたものである。また、本発明に係る冷却システムは、排気ファン１２、吸込側ダクト１３、排気口１４、吹出側ダクト１５などの構成部品を備えている。
【００２５】
排気ファン１２は、遠心式送風機であり、より具体的には、中心部にファンモータを取り付けている羽根車１２ｂを備えた両吸い込み型シロッコファンにより構成されている。吸込側ダクト１３は、ランプ冷却機構により光源ランプ２１を冷却して加熱された空気を排気ファン１２へ吸入するためのものであって、ランプハウス３１の排気ファン１２側の側面（図示ｙ方向の面）から排気ファン１２の一方の吸込口１２ｃに接続されている。排気口１４は、排気ファン１２の吹出空気を機外に排出するために外装ケース１に設けられているものであって、外装ケース１における吸気口１１に対向する外面に開口されている。吹出側ダクト１５は、排気ファン１２の吹出空気を排気口１４へ送風するためのものであって、排気ファン１２の吹出口１２ａと排気口１４とを接続するように設けられている。なお、前述の排気ファン１２のもう一方の吸込口１２ｄは、機内に開放されている。
【００２６】
実施の形態１の投写型映像表示装置は、上記のように構成されているので、機外の空気が外装ケース１に設けられた吸気口１１から機内に取り込まれる。また、機内空気により光源ランプ２１が冷却され、光源ランプ２１を冷却した後の加熱された空気は、ランプハウス３１から吸込側ダクト１３及び一方の吸込口１２ｃを介して排気ファン１２に吸い込まれる。また、排気ファン１２は、他方の吸込口１２ｄから直接機内空気を吸い込む。したがって、排気ファン１２からの吹出空気は、光源ランプ２１を冷却した後の加熱された空気と、光学部品の冷却に供されていない未加熱の機内空気とが混合された状態となる。そして、この混合された空気が排気口１４から機外へ放出される。
【００２７】
実施の形態１に係る投写型映像表示装置は、以上のように構成されているので次のような効果を奏することができる。
（１）光学部品冷却後の加熱された空気に対し加熱されていない未加熱の空気が混合されて排出されるので、排気ファン１２からの排気温度を低下させることができる。したがって、これまで高温の排気により周囲の人々に与えていた不快感を緩和することができる。また、排気ファン１２のファンモータは、羽根車１２ｂの中心部に設けられているため未加熱の空気が混合されて温度の低下した排気空気中に晒されることになる。したがって、従来のものと比べてファンモータの周囲温度が低下するため長寿命化を図ることができる。
【００２８】
（２）この実施の形態における最も温度が上昇する光学部品は光源ランプ２１である。このため、光学部品冷却後の空気の中で最も高温となりやすい空気が未加熱の空気により温度降下されて排出される。したがって、高温の排気空気による周囲の人々への不快感を解消する上において効果的である。
【００２９】
（３）排気ファン１２として遠心式送風機（この場合はシロッコファン）が使用されているので、ファン静圧を大きくすることができる。したがって、吸気側及び吹出側にダクト接続が可能である。
【００３０】
（４）また、排気ファン１２の吸気側及び吹出側にダクトを接続することができるので、機内の機器配置についての自由度が増す。また、排気ファン１２の吹出方向を変えたり、排気ファン１２、吸気口１１、排気口１４などの機器は位置を変更し、排気ファン１２の騒音が機外に漏れにくいように排気ファン１２の配置を選択することができ、これにより、排気ファン１２の騒音を抑制することができる。
【００３１】
（５）排気ファン１２に吸入する未加熱の空気として機内空気を吸い込むようにしているので、排気ファン１２の吸込口１２ｃと外装ケース１に設ける吸気口１１とをダクト接続する必要がなく、構成が簡易化されている。
【００３２】
（６）排気ファン１２は、両吸込型シロッコファンであり、一方の吸込口１２ｃに光学部品冷却後の空気を吸い込むようにし、他方の吸込口１２ｄに光学部品の冷却に供されていない未加熱の機内空気を吸い込むようにしているので、両通風系統を個別に構成することができる。
【００３３】
（７）外装ケース１に設けられる吸気口１１と排気口１４とが外装ケース１における異なる面に設けられているので、加熱された空気の吸気口１１へのショートサーキットが回避される。
【００３４】
（実施の形態２）
次に実施の形態２に係る投写型映像表示装置について、図２に基づき説明する。なお、図２において、実施の形態１と同一の構成要素には、実施の形態１と同一の符号を付し、その説明を省略する。
【００３５】
実施の形態２に係る投写型映像表示装置は、排気ファン１２の片方の吸込口１２ｄに機外の空気を直接吸入できるようにするとともに、吸込側ダクト１３の経路を変更したものである。
【００３６】
すなわち、実施の形態２においては、吸込側ダクト１３がランプハウス３１における光軸方向（図示ｘ方向）の面から引き出され、Ｕターンして排気ファン１２の一方の吸込口１２ｃに接続されている。また、排気ファン１２のもう一方の吸込口１２ｄは、外装ケース１に設けられた吸気口（機外空気取入口）１６に直接接続されている。この吸気口１６は、前述の機内へ機外空気を取り込むための吸気口１１と異なるものであって、光学部品により加熱された空気に対し未加熱の空気としての機外空気を直接混合させるためのものである。このため、吸気口１６が形成されている外装ケース１における面は、吸気口１１が設けられている面とは異なる。しかし、吸気口１６が形成される面は、排気口１４からの排気のショートサーキットを避けるために、この排気口１４が設けられている面とも異なるように形成されている。
【００３７】
このように、本実施の形態においては、光源ランプ２１を冷却して加熱された空気と機外の空気とが排気ファン１２において混合され、このように混合された排気が排気ファン１２から吹き出され、排気口１４から放出されるように構成されている。
【００３８】
実施の形態２は、以上のように構成されているので、実施の形態１に係る効果（１）〜（４）及び（７）と同一の効果を奏することができるとともに、次の効果を奏することができる。
【００３９】
（８）排気ファン１２において、光学部品冷却後の加熱された空気流に対し、光学部品の冷却に供されていない未加熱の空気である機外空気が直接混合されるので、少ない混合量で排気空気の温度を低下させることができる。これにより、排気ファン１２の小型化、低騒音化、ダクトスペースの削減などを行うことができる。
【００４０】
（９）光学部品冷却後の加熱された空気に混合させるための機外空気を吸入する吸気口（機外空気取入口）１６が外装ケース１において排気口１４と異なる面に配置されているので、排気口１４からの排気が吸気口１６へショートサーキットすることが回避される。
【００４１】
（実施の形態３）
次に実施の形態３に係る投写型映像表示装置について、図３に基づき説明する。なお、図３において、実施の形態１及び実施の形態２と同一の構成要素には、実施の形態１及び２と同一の符号を付し、その説明を省略する。
【００４２】
実施の形態３に係る投写型映像表示装置は、実施の形態１において、排気ファン１２の一方の吸込口１２ｃをランプハウス３１に直接接続するとともに、実施の形態２の場合と同様に排気ファン１２の他方の吸込口１２ｄに機外の空気を直接吸入できるようにしたものである。
【００４３】
このために、実施の形態３においては、ランプハウス３１の排気ファン１２側（図示ｙ方向）の側面に連絡口３１ａが形成されている。この連絡口３１ａは、排気ファン１２の一方の吸込口１２ｃに直接接続するためのものである。また、外装ケース１における排気口１４の反対側の面に吸気口（機外空気取入口）１６が形成されている。そして、この吸気口１６と排気ファン１２の他方の吸込口１２ｄとが機外空気用ダクト１７により接続されている。
【００４４】
このように、本実施の形態においては、光源ランプ２１を冷却して加熱された空気がランプハウス３１から排気ファン１２に直接吸い込まれ、他方、機外空気が機外空気用ダクト１７を介して排気ファン１２に吸入され、上記ランプハウスからの加熱された空気に混合される。そして、混合された空気が排気ファン１２から吹き出され、排気口１４から機外に放出されている。
【００４５】
実施の形態３は、以上のように構成されているので、実施の形態１に係る効果（１）〜（４）及び（７）、並びに実施の形態２に係る(８)及び（９）の効果と同一の効果を奏することができるとともに、次の効果を奏することができる。
【００４６】
（１０）機外空気を直接排気ファン１２に吸入させるために、吸気口（機外空気取入口）１６と排気ファン１２の吸込口１２ｄとが機外空気用ダクト１７により接続されているので、吸気口１６と排気口１４との配置の自由度を増すことができる。このように構成することにより、排気口１４から吸気口１６へのショートサーキットをより確実に防止することができる。
【００４７】
（実施の形態４）
次に、実施の形態４に係る投写型映像表示装置について、図４に基づき説明する。なお、図４において、実施の形態１及び２と同一の構成要素には、実施の形態１及び２と同一の符号を付し、その説明を省略する。
【００４８】
実施の形態４に係る投写型映像表示装置は、実施の形態２において、排気ファン１２を片吸込型シロッコファンとし、光学部品を冷却することにより加熱された空気を排気ファン１２の吸込口１２ｃに搬送する吸込側ダクト１３の途中に未加熱の機外空気を取り込むようにしたものである。
【００４９】
実施の形態４においては、排気ファン１２は、片吸込型シロッコファンとして構成されるとともに、大きな空間に形成されたファン室１８に収納されている。そして、光源ランプ２１を冷却して加熱された空気を排気ファン１２の吸入側に送るための吸込側ダクト１３がランプハウス３１の光軸方向（図示ｘ方向）の面とファン室１８との間に接続されている。また、この吸込側ダクト１３の途中を外装ケース１に設けられた吸気口（機外空気取入口）１６に近接させており、この近接位置において吸気口１６を吸込側ダクト１３内に連通させている。さらに、この吸気口１６には、取り入れる機外空気の風量とランプハウス３１から排気される風量との比を制御するためのダンパー１６ａが設けられている。
【００５０】
このように、本実施の形態においては、光源ランプ２１を冷却して加熱された空気が吸込側ダクト１３を通してファン室１８に送られる。また、吸気口１６から機外空気が取り入れられファン室１８に送られる。また、ランプハウス３１からの排気量、すなわち光源ランプ２１の冷却風量と機外取入空気量との風量割合は、吸気口１６のダンパー１６ａの開度を設定することにより調整される。これにより光源ランプ２１の冷却度合い及び排気の温度が調整される。なお、このダンパー１６ａの開度は、工場で設定されるものでよい。
【００５１】
実施の形態４は、以上のように構成されているので、実施の形態１及び２に係る効果（１）〜（４）、（７）〜（９）と同一の効果を奏することができるとともに、次の効果を奏することができる。
【００５２】
（１１）光学部品を冷却して加熱された空気を排気ファン１２に送る吸込側ダクト１３の途中に機外空気を取り入れることのできる吸気口１６が連通されているので、片吸込型シロッコファンを使用しても排気温度を低下させることができる。
【００５３】
（１２）また、吸気口１６に設けられたダンパー１６ａの開度を設定することにより、機外空気の混入比率や光源ランプ２１の冷却風量を調整し、排気温度を適切な温度に設定することができる。
【００５４】
（変形例）
本発明は、上記実施の形態において以下のように変更することができる。
・上記実施の形態における各図は模式図であるので、光学系筐体３、吸込側ダクト１３、吹出側ダクト１５、排気ファン１２、機外空気用ダクト１７等を平面的に記載したが、これら部品は、立体的に交差するように構成されてもよい。
【００５５】
・各実施の形態は、光源ランプ２１の冷却についてのものであるが、他の光学部品に対しても同様の冷却システムを構築してもよい。
・また、上記各実施の形態においては、光源ランプ２１の冷却システムと他の光学部品の冷却システムとを別系統としてその記載を省略している。しかし、吸込側ダクト１３を図６の従来例のように光学系筐体３の下方に大きく配置し、冷却すべき光学部品を冷却した空気を一つの吸込側ダクト１３に集めるようにすれば、単一の排気ファン１２で複数の光学部品を冷却するシステムに構築することができる。
【００５６】
・上記各実施の形態においては、排気ファン１２としてシロッコファンが用いられているが、これに限定されるものではなく、ターボファンなど他の遠心式送風機を用いてもよい。
【００５７】
・実施の形態３において、ランプハウス３１と排気ファン１２の吸込口１２ｃとの間を直接接続せずにダクトにより接続するようにしてもよい。このようにすれば、ランプハウス３１と排気ファン１２の吸込口１２ｃとの間、吸気口１６と排気ファンの吸込口１２ｄとの間、及び排気ファン１２の吹出口１２ａと排気口１４との間にそれぞれダクトが接続されることになる。したがって、このようにすれば光学系２、排気ファン１２、吸気口１６、排気口１４などのレイアウトの自由度が増し、排気ファン１２の吹出方向を変えることや排気ファン１２自身を外装ケースの内部奥深くに設置することができ、騒音抑制ができる。
【００５８】
・実施の形態４においては、排気ファン１２がファン室１８に収納されているので、両吸込型シロッコファンとしてもよい。このように構成した場合、機外空気を混合することにより温度が低下した排気が何れの吸込口１２ｃ、１２ｄからも吸入される。
【００５９】
・実施の形態４において、ダンパー１６ａに代えて吸気口１６の大きさ等を適正な大きさとすることにより、取り入れられる機外空気量を調整するようにしてもよい。
・また、実施の形態４において、吸込側ダクト１３の途中を吸気口１６に連通することに代えて、機内に開口する吸気口を設けてもよい。このようにすれば、光学部品を冷却して加熱された空気に対し機内空気を混合させて温度降下させることができる。
【産業上の利用可能性】
【００６０】
本発明は、種々の投写型映像表示装置に適用できる。例えば、先の実施の形態においては、３板式液晶プロジェクタを示したが、他の画像光生成系を備えた投写型プロジェクタや、ＤＬＰ（Digital Light Processingの略であって、テキサス・インスツルメンツ（ＴＩ社）の登録商標）方式のプロジェクタなどに本発明を適用することもできる。
【符号の説明】
【００６１】
１…外装ケース、２…光学系、１１、１６…吸気口、１２…排気ファン、１２ａ…吹出口、１２ｃ,１２ｄ…吸込口、１３…吸込側ダクト、１４…排気口、２１…光源ランプ。
【図１】
2011112966.tif 000003
【図２】
2011112966.tif 000004
【図３】
2011112966.tif 000005
【図４】
2011112966.tif 000006
【図５】
2011112966.tif 000007
【図６】
2011112966.tif 000008